(57)【要約】      （修正有）【課題】ブラジャーのストラップを不要としてストラップの本数を減らし、更にブラジャーの機能が充分発揮できるようにする。また、ブラジャーとキャミソール等の衣類は夫々好みのものを着用することができると共に両者の取り合わせのバリエーションを楽しむことができるようにする。【解決手段】ブラジャー本体２に設けたフック掛止ループ３にフックを掛け止めることによってストラップを取り付けるようになしたブラジャー１と、ストラップで吊るし、肩を露出する形態の袖なしの女性用衣類であるキャミソール４とからなる。キャミソール４におけるストラップ６、６を、その端部６ａ、６ｂがブラジャー本体２のフック掛止ループ３，３と対向する状態においてキャミソール本体５に縫い付ける。ストラップ６、６の端部の縫い付け位置におけるキャミソール本体５にフック８、８を取り付ける。【選択図】図１
0003139339.tif 000002
【実用新案登録請求の範囲】
【請求項１】
ブラジャー本体に設けたフック掛止ループにフックを掛け止めることによってストラップを取り付けるようになしたブラジャーと、ストラップで吊るし、肩を露出する形態の袖なしの女性用衣類とからなり、前記衣類におけるストラップを、その端部が前記ブラジャー本体のフック掛止ループと対向する状態において衣類本体に縫い付け、該ストラップの端部の縫い付け位置における衣類本体又はストラップの縫い付け位置より延長した部分の端部にフックを取り付け、該フックを、ストラップを外した状態のブラジャー本体のフック掛止ループに掛け止め、もって着用時にこれらブラジャーと衣類とを一体化させることができるようになしたことを特徴とする女性用衣類。
【請求項２】
前記衣類における衣類本体の脇の部分に、前記ブラジャー本体の脇布を挿通して保持するためのループを設けてなる請求項１記載の女性用衣類。
【請求項３】
衣類がキャミソール、カットソー、ワンピースのいずれかである請求項１又は２記載の女性用衣類。
【考案の詳細な説明】
【技術分野】
【０００１】  本考案は女性用衣類に関し、更に詳細には着用時にブラジャーとキャミソール、カットソー、ワンピース等の衣類とを一体化させることができるようになした女性用衣類に係わる。
【背景技術】
【０００２】  ストラップで吊るし、肩を露出する形態の袖なしの女性用衣類、例えばキャミソール、カットソー、ワンピース等を着用したときにおいては、下着であるブラジャーのストラップが見えることになるが、このことに対して着用している本人自身が羞恥心を覚えることがあり、またストラップが両肩に２本宛見えることは目障りであり、首筋や肩のラインをすっきりさせる上で好ましくない。【０００３】  また、ブラジャーは美しいバストのフォルム（寄せ胸）を作るための下着として着用するものであり、着用者のバストの大小や形に適合し、完全にフィットするものでなければ本来の機能を発揮させることができない。このためブラジャーはサイズの点において多種類のものが揃っている。そしてまた一方、前記の点を考慮してストラップのないストラップレスブラジャー、或いはブラジャー本体に設けたフック掛止ループにフックを掛け止めることによってストラップを取り付けることができるようになし、言い換えるとストラップを外して着用することもできるようになしたブラジャーも提供されているが、いずれも着用しているうちに次第にずり落ち易いという問題点があった。【０００４】  これらのことから、胸部にカップを組み付けてブラジャー機能を持たせたブラキャミ或いはキャミブラと称される衣類が提供されている（例えば、特許文献１参照。）。斯かるブラキャミ或いはキャミブラと称される衣類は、ブラジャーを別に着用しないで済む分これのストラップが外に見えないし、またストラップの本数を減らすことはできるものの、サイズがＳ、Ｍ、Ｌといった大雑把なものでしかなく、したがってまたこれに組み付けたカップについても大小や形も細かに分かれているわけではない。したがって、斯かるブラキャミ或いはキャミブラと称される衣類の場合、着用したときにそのカップがバストに完全にフィットすることがなく、ブラジャーとしての機能を充分に発揮させることができなかった。【０００５】
【特許文献１】第３０３９０９９号登録実用新案公報
【考案の開示】
【考案が解決しようとする課題】
【０００６】  本考案は上記の点に鑑みなされたものであって、別々に製作し、別体であるブラジャーとキャミソール、カットソー、ワンピース等の衣類とを着用時に一体化させ、而もブラジャーの位置の保持をキャミソール、カットソー、ワンピース等の衣類のストラップをもって兼ねさせることができるようになし、もって従来のブラキャミ或いはキャミブラと称される衣類と同様にブラジャーのストラップがないことからこれが外に見えず且つまたストラップの本数を減らすことができ、而もブラジャーは従来通りの規格であるから着用者に最適なものを選択することができ、したがって着用者において充分に満足することができるものであり、更にブラジャーとキャミソール、カットソー、ワンピース等の衣類は夫々別々に製作するものであるから、夫々好みのものを着用することができると共に両者の取り合わせのバリエーションを楽しむこともでき、加えてブラジャーは、衣類との一体化を解除し、ストラップを取り付けて単体で使用することもできるようになした女性用衣類を提供しようとするものである。
【課題を解決するための手段】
【０００７】  而して、本考案の要旨とするところは、ブラジャー本体に設けたフック掛止ループにフックを掛け止めることによってストラップを取り付けるようになしたブラジャーと、ストラップで吊るし、肩を露出する形態の袖なしの女性用衣類とからなり、前記衣類におけるストラップを、その端部が前記ブラジャー本体のフック掛止ループと対向する状態において衣類本体に縫い付け、該ストラップの端部の縫い付け位置における衣類本体又はストラップの縫い付け位置より延長した部分の端部にフックを取り付け、該フックを、ストラップを外した状態のブラジャー本体のフック掛止ループに掛け止め、もって着用時にこれらブラジャーと衣類とを一体化させることができるようになしたことを特徴とする女性用衣類にある。【０００８】  また、上記構成において、衣類における衣類本体の脇の部分に、前記ブラジャー本体の脇布を挿通して保持するためのループを設けるようにしてもよい。このようになした場合には、ブラジャーの安定性が一層良好となる。【０００９】  また、上記構成における衣類は、キャミソール、カットソー、ワンピースのいずれかである。
【考案の効果】
【００１０】  本考案は上記の如き構成であり、別々に製作し、別体であるブラジャーとキャミソール、カットソー、ワンピース等の衣類とを着用時に一体化させ、而もブラジャーの位置の保持をキャミソール、カットソー、ワンピース等の衣類のストラップをもって兼ねさせることができるようになしたものであるから、従来のブラキャミ或いはキャミブラと称される衣類と同様にブラジャーのストラップがないことからこれが外に見えず且つまたストラップの本数を減らすことができるものである。而もブラジャーは従来通りの規格であるから着用者に最適なものを選択することができ、したがって着用者において充分に満足することができるものである。更にブラジャーとキャミソール、カットソー、ワンピース等の衣類は夫々別々に製作するものであるから、夫々好みのものを着用することができると共に両者の取り合わせのバリエーションを楽しむこともできるものである。加えてブラジャーは、衣類との一体化を解除し、ストラップを取り付けて単体で使用することもできるものである。
【考案を実施するための最良の形態】
【００１１】  以下、本考案に係る女性用衣類を実施するための最良の形態について、図面を参照して説明する。
図１は本考案の第１実施形態に係る女性用衣類の斜視図、図２は内部側から看た前部の一部拡大図、図３は内部側から看た後部の一部拡大図、図４は内部側から看た脇部分の一部拡大図である。【００１２】  図中、１はブラジャーであり、ブラジャー本体２に設けたフック掛止ループ３、３にフックを掛け止めることによってストラップを取り付けるようになしたものである。尚、図においては前記両端にフックを取り付けたストラップは取り外してあるために示されていない。【００１３】  ４は衣類本体５をストラップ６、６で吊るし、肩を露出する形態の袖なしの女性用衣類、本実施形態ではキャミソールである。【００１４】  本考案はこれらブラジャー１とキャミソール４とを着用時に一体化させるものである。そして、前記キャミソール４におけるストラップ６、６を、図２及び図３に示す如く、その端部６ａ、６ｂが前記ブラジャー本体２のフック掛止ループ３、３と対向する状態においてキャミソール本体５に縫い付ける。尚、７、７は縫い付け部を示す。そして、更に該ストラップ６、６の端部の縫い付け位置におけるキャミソール本体５にフック８、８を取り付ける。尚、９、９はフック取付紐である。そして、該フック８、８を、前記ブラジャー本体２のフック掛止ループ３、３に掛け止め、もって着用時に前記ブラジャー１とキャミソール４とを一体化させるものである。そしてまた、これにより前記キャミソール４のストラップ６，６は、フック８、８とフック掛止ループ３、３を介してブラジャー１に間接的に接続され、もって該ストラップ６、６がブラジャー１の位置の保持を兼ねるようになるものである。尚、図においてストラップ６、６は長さ調節用の金具を省略している。【００１５】  また、本実施形態では、図４に示す如く、キャミソール本体５の脇の部分に、ブラジャー本体２の脇布２ａを挿通して保持するためのループ１０、１０を設けている。【００１６】  また、本実施形態は、襟刳りの大きい、胸が大きく開いた衣類に適用する場合であり、胸の開きを少なくした、ブラジャーの上縁部よりも衣類の胸の上縁部がかなり上側に位置するようになる場合には、次に説明する本考案の第２実施形態を適用するものである。【００１７】  図５及び図６は本考案の第２実施形態を示すものであり、上記の如く胸の開きを少なくした、即ちブラジャーの上縁部よりも衣類の胸の上縁部がかなり上側に位置するようになる場合に適用するものである。【００１８】  而して、本実施形態においては、ストラップ６、６の縫い付け位置７、７より延長した部分６Ａ，６Ａの端部にフック８、８を取り付けるものであり、そして該フック８、８をブラジャー本体２のフック掛止ループ３、３に掛け止めるものである。尚、延長した部分６Ａ，６Ａの長さＬは、胸の開き具合に応じて適宜に決定するものである。また、本実施形態における如く胸の開きを少なくした場合においては、衣類の後部においてもその上縁部がブラジャーの上縁部よりもかなり上側に位置することがあり得ることになる。そしてこの場合には、図６に示す如く、ストラップ６、６のキャミソール４の後部における縫い付け位置７、７より延長した部分６Ｂ、６Ｂの端部にフック８、８を取り付けるものである。而して、本実���形態の場合には、キャミソール４のストラップ６、６は、フック８、８とフック掛止ループ３、３を介してブラジャー１に直接的に接続され、もって該ストラップ６、６がブラジャー１の位置の保持を兼ねるようになるものである。また、その他の構成は前記第１実施形態と同様であるから、同一の部材には同一の符号を付して詳細な説明は省略する。【００１９】  また、本考案は、図示はしないが、ブラジャー１のキャミソール４との一体化を解除し、図示しないストラップを取り付けてブラジャー単体で使用するようにしてもよいものである。
【図面の簡単な説明】
【００２０】
【図１】本考案の第１実施形態に係る女性用衣類の斜視図である。
【図２】内部側から看た前部の一部拡大図である。
【図３】内部側から看た後部の一部拡大図である。
【図４】内部側から看た脇部分の一部拡大図である。
【図５】本考案の第２実施形態に係る女性用衣類の内部側から看た前部の一部拡大図である。
【図６】内側から看た後部の一部拡大図である。
【符号の説明】
【００２１】１  ブラジャー
２  ブラジャー本体
３、３  フック掛止ループ
４  キャミソール
５  キャミソール本体
６、６  ストラップ
６Ａ、６Ａ、６Ｂ、６Ｂ  ストラップの延長部分
６ａ、６ｂ  ストラップの端部
７、７  縫い付け部
８、８  フック
９、９  フック取付紐
１０、１０  ループ
【図１】
0003139339.tif 000003
【図２】
0003139339.tif 000004
【図３】
0003139339.tif 000005
【図４】
0003139339.tif 000006
【図５】
0003139339.tif 000007
【図６】
0003139339.tif 000008